(57)【要約】【課題】芯材の構造を単純化して安価に製作できるようにすることと、軽量化して、かつ、少ない労力で所望の曲げ角度にパイプを曲げられるようにする。【解決手段】軟質合成樹脂製のパイプ１に挿入されて該パイプの曲げとともにパイプの円形を保ちながら内部で撓んで、所望の曲げ角度にパイプを曲げる保形材Ａは、合成樹脂製で、両端にパイプの内周面に沿う円柱状のブロック部２を具えた適宜長の芯材１と、芯材の長さ方向に沿って等間隔に、パイプの直径方向には交互に対向するように配置され、かつ、それぞれに上記パイプの内周面に沿う半径を具えたほぼ半円形のヨーク３とを一体成形したことを特徴とするパイプの曲げ保形材である。【選択図】  図１
2005313444.tif 000002
【特許請求の範囲】
【請求項１】
軟質合成樹脂製のパイプに挿入されて該パイプの内周面に接しつつ、パイプの曲げとともに撓んでパイプの円形を保ちながら所望の曲げ角度にパイプを曲げられるようにしたパイプの曲げ保形材であって、該曲げ保形材は、合成樹脂を素材とし、両端にパイプの内周面に沿う円柱状のブロック部を具えた適宜長の芯材と、この芯材の長さ方向に沿って等間隔に、上記パイプの直径方向には交互に対向するように配置され、かつ、それぞれに上記パイプの内周面に沿う半径を具えたほぼ半円形のヨークとを一体成形したことを特徴とするパイプの曲げ保形材。
【請求項２】
前記パイプには透光性を具えたパイプを用い、前記芯材の長さ方向に沿って交互に対向するように配置される前記半円形のヨークには、上記芯材の長さ方向の側面に沿う位置に、ＬＥＤを配線する電線の挿通孔をそれぞれ設けて、前記パイプを手摺用に使用される場合に、照明機能を備えた手摺として使用できるようにしたことを特徴とする請求項１記載のパイプの曲げ保形材。
【発明の詳細な説明】
【技術分野】
【０００１】
本発明は、挿入されたパイプの曲げとともに内部で撓んで、パイプの円形を保ちながら所望の曲げ角度に曲げられるようにしたパイプの曲げ保形材に関するもので、パイプの曲げ位置に挿入される芯材の長さ方向の側面に、パイプの内周面に沿うほぼ半円形のヨークを直径方向に対向させて交互に、かつ、多段に配置したことを特長とするものである。
【背景技術】
【０００２】
従来、パイプ内に内径に沿う円筒形で可撓性を具えた芯材を挿入し、この芯材をパイプの曲げとともに撓ませてパイプを真円に近く曲げられるようにしたものが手摺りとしてある（例えば、特許文献１参照）。
【０００３】
【特許文献１】特開２００４−６０１５０号公報この従来の手摺りの芯材は、弾性に富むパイプの両端に硬質パイプを差込み、両端をそれぞれこの硬質パイプに保持させた一対の円筒形保持部材の間に、コイルばねと上記一対の円筒形保持部材の間を牽引する牽引部材を介設し、コイルばねの反発力で曲げるパイプの変形を防止させるようにしていたので、芯材の構造が複雑になり、高価になる一方で、重量が嵩み、曲げる操作にも大きな力を要するという欠点があった。
【発明の開示】
【発明が解決しようとする課題】
【０００４】
以上のことから、本発明が解決しようとする第１の課題は、芯材の構造を単純化して安価に製作できるようにすることと、軽量化して、かつ、少ない労力でパイプを所望の曲げ角度に曲げられるようにすることにある。
本発明が解決しようとする第２の課題は、手摺用に曲げたパイプ内に照明機能を備えさせて、暗い階段の昇り降りをガイドできるようにすることにある。
【課題を解決するための手段】
【０００５】
そこで本発明は、上記の課題を解決するために、軟質合成樹脂製のパイプに挿入されて該パイプの内周面に接しつつ、パイプの曲げとともに撓んでパイプの円形を保ちながら所望の曲げ角度にパイプを曲げられるようにしたパイプの曲げ保形材であって、該曲げ保形材は、合成樹脂を素材とし、両端にパイプの内周面に沿う円柱状のブロック部を具えた適宜長の芯材と、この芯材の長さ方向に沿って等間隔に、上記パイプの直径方向には交互に対向するように配置され、かつ、それぞれに上記パイプの内周面に沿う半径を具えたほぼ半円形のヨークとを一体成形したことを特徴とするパイプの曲げ保形材を提供するものである。
【０００６】
請求項２の発明は、パイプには透光性を具えたパイプを用い、芯材の長さ方向に沿って交互に対向するように配置される半円形のヨークには、上記芯材の長さ方向に沿う両側に、ＬＥＤを配線する電線の挿通孔をそれぞれ設けて、前記パイプを手摺用に使用される場合に、照明機能付き手摺としても使用できるようにしたことを特徴とするものである。
【発明の効果】
【０００７】
本発明に係る曲げ保形材は、全体が合成樹脂の一体成形体であるから、軽量でコストダウンができる。また、使用に際しては少ない労力でパイプを所望の曲げ角度に曲げられる。
以上のようにして本発明は前記の課題を解決したものである。
【発明を実施するための最良の形態】
【０００８】
軟質合成樹脂製のパイプには透光性を具えたパイプを用いる。このパイプ内に挿入する芯材には、両端にパイプの内周面に沿う円柱状のブロック部を具えた適宜長の芯材を用いる。この芯材の長さ方向に沿って多段に配置するほぼ半円形のヨークは、それぞれパイプの内周面に沿う半径を具え、芯材の長さ方向に沿って等間隔に、パイプの直径方向には交互に対向するように配置する。また、各ヨークには、パイプを照明機能付き手摺に使用される場合に備えて、芯材の長さ方向の両側面に沿って電線の挿通孔を設ける。
上記のように構成したパイプの曲げ保形材である。
【実施例】
【０００９】
以下に本発明の実施例を図面について説明する。
図１は実施例の側面図、図２は平面図、図３は端面図、図４はＡ−Ａ’断面図である。
【００１０】
図において、Ａは、曲げるべきパイプＰ（図中虚線で示す）の曲げ区間に対応する長さに形成したパイプの曲げ保形材，１は、パイプの内径と等しい径の円柱形のブロック２を両端に具えてブロック２、２の間を連結する適宜長の芯材、３は、芯材１の長さ方向に沿って等間隔に、パイプＰの直径方向には交互に対向するように多段に配置され、それぞれパイプＰの内周面に接する半径を具えたほぼ半円形のヨークである。
【００１１】
本発明に係る曲げ保形材Ａは、合成樹脂製詳しくはナイロン製で、芯材１と、両端のブロック２、２と、ヨーク３を一体成形している。この曲げ保形材Ａは、芯材１の両端のブロック２、２を、曲げの起点にそれぞれ位置させて、パイプＰ内に挿入される。
【００１２】
パイプＰに挿入された芯材１は、長さ方向に沿って等間隔に配置したヨーク３の外周をパイプＰの内周面に密着させ、パイプＰの曲げに応じてパイプＰ内部で撓み、パイプの円形を保ちながら、曲がりの外側に当たる一方の側ではヨーク３の先端の間隔を開き、直径方向で対向する他方の側のヨーク３は先端の間隔を縮め、１枚毎にヨーク３の角度を変えることによって、内側からパイプＰの曲げ角度を保持し、断面をほぼ真円に形成させる。そして、曲げ保形材Ａは、滑らかにパイプＰと共に曲がりつつ、内部に芯を形成する。
【００１３】
本発明に係る曲げ保形材Ａを内蔵したパイプＰを階段の手摺に採用する場合は、パイプＰには透光性を具えたパイプＰを用い、各ヨーク３には、芯材１の両側面に近接した同一位置に、芯材１を挟んで一対となる半円形の電線の挿通孔４を設ける。このようにして、挿通孔４を設けた曲げ保形材Ａは、芯材１の両側に連続する挿通孔４が形成されることになる。
この電線の挿通孔４には、別に電源とスイッチを備えたＬＥＤを配線した電線を挿通して、階段の手摺に使用するときは、内蔵させた光源ＬＥＤの明かりが透光性のパイプＰを通して、手摺と階段の所在を知らせることができる。、
【産業上の利用可能性】
【００１４】
前記のように構成し、上記のように用いられるようにした本発明は、階段の手摺に限らず、廊下とか通路の曲がり角などにも設置することができる。
【図面の簡単な説明】
【００１５】
【図１】実施例の側面図である。
【図２】実施例の平面図である。
【図３】同上の端面図である。
【図４】Ａ−Ａ’断面図である。
【符号の説明】
【００１６】
Ｐ  パイプ
Ａ  曲げ保形材
１  芯材
２  ブロック
３  ヨーク
４  挿通孔
【図１】
2005313444.tif 000003
【図２】
2005313444.tif 000004
【図３】
2005313444.tif 000005
【図４】
2005313444.tif 000006